(57)【要約】【課題】車両に搭載されたラジエータに走行風を導く開口部を有するグリル本体と、このグリル本体に固定されて開口部を覆う別体グリルとを備えたラジエータグリルにおいて、グリル本体に対して別体グリルの組み付けを容易にすることができるラジエータグリルと車両を提供する。【解決手段】車両に搭載されたラジエータに走行風を導く開口部２１を有するグリル本体２０と、このグリル本体２０に固定されて開口部２１を覆う別体グリル３０とを備えたラジエータグリル１０において、グリル本体２０は、グリル本体２０を車両に組み付ける組み付け部２２を備え、この組み付け部２２は、別体グリル３０が差し込まれた状態で別体グリル３０の移動を規制する溝部２３を備え、別体グリル３０が、溝部２３に差し込まれ、グリル本体２０に固定されている。【選択図】図３
2015227116.tif 000002
【特許請求の範囲】
【請求項１】
車両に搭載されたラジエータに走行風を導く開口部を有するグリル本体と、前記グリル本体に固定されて前記開口部を覆う別体グリルと、を備えたラジエータグリルにおいて、
前記グリル本体は、前記グリル本体を車両に組み付ける組み付け部を備え、
前記組み付け部は、前記別体グリルが差し込まれた状態で前記別体グリルの移動を規制する溝部を備え、
前記別体グリルが、前記溝部に差し込まれ、前記グリル本体に固定されていることを特徴とするラジエータグリル。
【請求項２】
前記溝部が前記組み付け部の上面に形成されていることを特徴とする請求項１に記載のラジエータグリル。
【請求項３】
前記溝部が前記別体グリルの表裏方向への移動を規制していることを特徴とする請求項１又は２に記載のラジエータグリル。
【請求項４】
前記組み付け部は、前記グリル本体の裏面に設けられ、空隙を有することを特徴とする請求項１〜３のいずれか１項に記載のラジエータグリル。
【請求項５】
前記別体グリルが前記グリル本体の左右側端部に備えられたことを特徴とする請求項１〜４のいずれか１項に記載のラジエータグリル。
【請求項６】
車両の前部に備えられたエンジンルームの前方で、前記車両に前記組み付け部により組み付けられる、請求項１〜５のいずれか１項に記載のラジエータグリルと、
前記ラジエータグリルの後方で且つ前記エンジンルーム内に配置されたラジエータと、を備えたことを特徴とする車両。
【発明の詳細な説明】
【技術分野】
【０００１】
本発明は、車両に搭載されたラジエータに走行風を導く開口部を有するグリル本体と、このグリル本体に固定されて開口部を覆う別体グリルとを備えたラジエータグリルと車両に関する。
【背景技術】
【０００２】
冷却システムを必要とする内燃機関などの装置を搭載した車両においては、ラジエータが多く用いられ、このラジエータの前方には、ラジエータグリルが配置されている。通常、このラジエータグリルは一体で樹脂成型されることが多いが、グリル本体と別体グリルを組み合わせたものもある。この別体グリルは、グリル本体とは別工程で製造され、グリル本体を車両に取り付ける前にグリル本体に組み付ける必要がある。
【０００３】
このような幾つかの部材によって構成されるラジエータグリルの取付けに関しては、例えば、グリル部材に係合リブを設けると共に、グリル部材に取付けらえるグリルモールに係合突起を設け、この係合突起をグリル部材の係合リブに係合することにより、グリルモールをグリル部材に取付ける車両用ラジエータグリルの取付け構造が提案されている（例えば、特許文献１参照）。
【０００４】
この構成では、係合リブである取付け部分がグリル部材の裏面側に配置され、グリルモールの係合突起を、グリル部材の挿入孔に表面側から挿通させて、グリル部材の裏面側に突設された係合リブに係合させているため、小さい部品であるグリルモールが、大きな部品であるグリル部材の表側に配置される場合は、見栄え上の問題は生じない。
【０００５】
しかしながら、大きな部品のグリル本体の裏面側に小さな部品の別体グリルを取付ける構造に対しては、グリル本体の表面側に取付け部分が配置されることになり、見栄えが悪くなるため、この構成を採用することはできないという問題がある。
【先行技術文献】
【特許文献】
【０００６】
【特許文献１】特開２００３−２０５８０３号公報
【発明の概要】
【発明が解決しようとする課題】
【０００７】
本発明は、上記のことを鑑みてなされたものであり、その目的は、車両に搭載されたラジエータに走行風を導く開口部を有するグリル本体と、このグリル本体に固定されて開口部を覆う別体グリルとを備えたラジエータグリルにおいて、グリル本体に対して別体グリルの組み付けを容易にすることができるラジエータグリルと車両を提供することである。
【課題を解決するための手段】
【０００８】
上記の目的を達成するための本発明のラジエータグリルは、車両に搭載されたラジエータに走行風を導く開口部を有するグリル本体と、前記グリル本体に固定されて前記開口部を覆う別体グリルと、を備えたラジエータグリルにおいて、前記グリル本体は、前記グリル本体を車両に組み付ける組み付け部を備え、前記組み付け部は、前記別体グリルが差し込まれた状態で前記別体グリルの移動を規制する溝部を備え、前記別体グリルが、前記溝部に差し込まれ、前記グリル本体に固定されているように構成される。
【０００９】
この構成によれば、組み付け部はグリル本体に備えられ、このグリル本体は車両に組み付けられるが、このグリル本体と車両の前面との間に位置する組み付け部に溝部を設けて、別体グリルの一部を、その溝部に差し込むことで別体グリルを固定して移動を規制したので、グリル本体に対して別体グリルの組み付けを容易にすることができる。
【００１０】
上記のラジエータグリルにおいて、前記溝部が前記組み付け部の上面に形成されているように構成すると、この組み付け部で別体グリルを下方から支えることができ、この構成があれば、組み付け時に別体グリルを別の手段で支持する必要がなくなり、グリル本体に別体グリルをより容易に組み付けすることができるようになる。
【００１１】
更に、上記のラジエータグリルにおいて、前記溝部が前記別体グリルの表裏方向への移動を規制しているように構成すると、この部分における別体グリルの表裏方向を固定するための固定部材や接合部材が不要になり、グリル本体に別体グリルをより容易に組み付けすることができるようになる。
【００１２】
また、上記のラジエータグリルにおいて、前記組み付け部は、前記グリル本体の裏面に設けられ、空隙を有するように構成されると、ラジエータグリルを形成する材料の量を低減することができる。
【００１３】
また、上記のラジエータグリルにおいて、前記別体グリルが前記グリル本体の左右側端部に備えられて構成される。
【００１４】
そして、上記の目的を達成するための本発明の車両は、車両の前部に備えられたエンジンルームの前方で、前記車両に前記組み付け部により組み付けられる上記のラジエータグリルと、前記ラジエータグリルの後方で且つ前記エンジンルーム内に配置されたラジエータと、を備えて構成される。
【発明の効果】
【００１５】
本発明のラジエータグリルと車両によれば、車両に搭載されたラジエータに走行風を導く開口部を有するグリル本体と、このグリル本体に固定されて開口部を覆う別体グリルとを備えたラジエータグリルにおいて、グリル本体と車両の前面との間に溝部を設けて、別体グリルの一部を、この溝部に差し込むことで別体グリルを固定して別体グリルの移動を規制したので、グリル本体に対して別体グリルの組み付けを容易にすることができる。
【図面の簡単な説明】
【００１６】
【図１】本発明に係る実施の形態のラジエータグリルの構成を示す図である。
【図２】ラジエータグリルへの別体グリルとシール部材の組み付け構造を示す図である。
【図３】組み付け部の構成を示す図である。
【図４】ラジエータグリルへの別体グリルの組み付け方法を示す図である。
【図５】ラジエータグリルに別体グリルを組み付けた構成を示す図である。
【発明を実施するための形態】
【００１７】
以下、本発明に係る実施の形態のラジエータグリル及車両について、図面を参照しながら説明する。なお、図１〜図５は、ラジエータグリルの取付け方法を示す説明図として提供しており、各図の間で図形的に完全に整合させていないので、寸法比率は必ずしも一致しておらず、部品の図形も完全に同じ形状になっていない。
【００１８】
図１に示すように、本発明に係る実施の形態のラジエータグリル１０は、車両に搭載されたラジエータに走行風を導く開口部２１を有するグリル本体２０と、このグリル本体２０に固定されて開口部２１を覆う、二つの別体グリル３０と、一つのシール部材４０を備えて構成される。このラジエータグリル１０は、例えば、車両の前部に備えられたエンジンルーム内に配置されたラジエータの前方に配置される。
【００１９】
なお、以下の説明では、ラジエータグリル１０、グリル本体２０、別体グリル３０に関する方向として、ラジエータグリル１０の奥行方向を、ラジエータグリル１０、グリル本体２０、別体グリル３０の表裏方向（表から裏をＸ方向）と言い、ラジエータグリル１０の長手方向を、ラジエータグリル１０、グリル本体２０、別体グリル３０の水平方向（Ｘ方向から見て右側から左側をＹ方向）と言い、ラジエータグリル１０の高さ方向を、ラジエータグリル１０、グリル本体２０、別体グリル３０の上下方向（下から上をＺ方向）と言うことにする。
【００２０】
この実施の形態のラジエータグリル１０では、別体グリル３０は、見栄えを考慮してグリル本体２０と別の色に形成される。この別体グリル３０はグリル本体２０の左右側端部の二か所に備えられるが、シール部材４０は、グリル本体２０の右側端部のみの一か所でグリル本体２０を裏側から覆うように設けられる。
【００２１】
更に、図１及び図２に示すように、グリル本体２０は、このグリル本体２０を車両に組み付けるための組み付け部２２を備えて構成され、図３に示すように、この組み付け部２２は、グリル本体２０の裏面に設けられ、空隙２５を有してボックス形状に構成される。この空隙２５を有することで、ラジエータグリル１０を形成する材料の量を低減することができる。また、この組み付け部２２は射出成型でグリル本体２０と一体成型される。この組み付け部２２の空隙２５は、射出成型時に中子をＹ方向に引き抜くことにより容易に形成できる。
【００２２】
この組み付け部２２は、図３に示すように、別体グリル３０が差し込まれた状態で別体グリル３０の移動を規制する溝部２３を備えて構成される。溝部２３は、別体グリル３０の一部３０ａが差し込まれると別体グリル３０をグリル本体２０に固定するように形成される。
【００２３】
つまり、別体グリル３０の一部３０ａを、その溝部２３に差し込むことで別体グリル３０のＸ方向への移動を規制することができる。これにより、この部位における別体グリル３０を固定するためのネジなどの接合部材が不要になり、その結果、接合作業が不要になるので、グリル本体２０に対して別体グリル３０の組み付け作業が簡略化され容易となる。
【００２４】
なお、この溝部２３は組み付け部２２の側面側（Ｙ方向側）に設けてもよいが、組み付け部２２の上面２２ａに形成することが好ましく、この構成にすると、別体グリル３０を組み付け部２２で下方から支えてグリル本体２０に載置することができるので、組み付け時に別体グリル３０を別の手段で保持する必要がなくなり、グリル本体２０に別体グリル３０をより容易に組み付けすることができるようになる。
【００２５】
特に、この溝部２３を別体グリル３０のＸ方向への移動を規制するように構成すると、この部分における別体グリル３０のＸ方向の固定部材や接合部材が不要になり、別体グリル３０の組み付け作業の手間が減少し、グリル本体２０に別体グリル３０をより容易に、また、より簡便に組み付けすることができるようになる。
【００２６】
この溝部２３は、例えば、別体グリル３０の取付けのグリル本体２０の部位において、別体グリル３０のＹ方向に延びる溝で形成する。この溝は、組み付け部２２の上面２２ａに上側に開口して設ける。この構成により、別体グリル３０のＸ方向の位置決めの効果に加えて、Ｚ方向の位置決めができる。
【００２７】
なお、この溝部２３は、組み付け部２２の上面２２ａの端から端まで設けてもよく、上面２２ａの端から途中までに設けてもよい。途中まで設ける場合は、別体グリル３０の一部３０ａを溝部２３の水平方向の奥部（溝の途中）に突き当てることにより、Ｙ方向に対しての位置決め効果も生じさせることができる。
【００２８】
さらに、この組み付け部２２は、その先端部（−Ｘ方向から見たときの表面）２２ｂに、ラジエータグリル１０を車両に取り付ける際に使用するクリップ（フロントグリルクリップ）等の取付け部材５０を係合して固定するための係合部２４を設けて構成される。この係合部２４は、例えば、取付け部材５０が組み付け部２２のＸ方向と垂直な方向（Ｙ−Ｚ平面内の方向：例えばＹ方向やＺ方向）から挿入されたときに、取付け部材５０の溝部５１と係合して、取付け部材５０を組み付け部２２に固定できるように構成される。
【００２９】
この構成では、組み付け部２２をボックス形状に形成することより、溝部２３と取付け部材５０を固定する係合部２４の形成が容易となり、それぞれの部位の強度も容易に確保できるようになる。また、それと共に、一つの組み付け部２２において、別体グリル３０と取付け部材５０の二つの部品２０、５０を組み付けて固定できるので、部品点数を減少することができる。
【００３０】
そして、この取付け部材５０により、ラジエータグリル１０は、グリル本体２０に別体グリル３０を組み付けた状態で車両に組み付けることができるようになる。この組み付けでは、取付け部材５０が車両側の取り付け部と係合して固定されることにより、ラジエータグリル１０は車両に固定されることになる。
【００３１】
このラジエータグリル１０は、グリル本体２０を車両に取り付けた際に裏面となる面から車両側に延出する組み付け部２２に溝部２３を設け、この溝部２３に別体グリル３０を差込み、グリル本体２０を車両に取り付けた際のＸ方向の移動を規制してから別体グリル３０をグリル本体２０に組み付けて組み立てられる。さらに、この組み付け部２２に、ラジエータグリル１０を車両に取付ける際に使用する取付け部材５０を取付ける。
【００３２】
つまり、図４〜図５示すように、別体グリル３０は、四隅の内の一か所が組み付け部２２の溝部２３で固定されると共に、四隅の内の三か所が挿通孔３１でネジ（スクリュー）６０によりグリル本体２０に設けられたボス部２６に組み付けられる。そして、更にシール部材４０が二か所の挿通孔４１でネジ（スクリュー）６１によりグリル本体２０に設けられたボス部２７に固定される。これにより、ラジエータグリル１０の組み付けが完了する。
【００３３】
そして、本発明の実施の形態の車両は、車両の前部に備えられたエンジンルームの前方で、車両に組み付け部２２により組み付けられるラジエータグリル１０と、このラジエータグリル１０の後方で且つエンジンルーム内に配置されたラジエータとを備えて構成される。
【符号の説明】
【００３４】
１０  ラジエータグリル
２０  グリル本体
２１  開口部
２２  組み付け部
２２ａ  組み付け部の上面
２２ｂ  組み付け部の先端部
２３  溝部
２４  係合部
２５  空隙
２６、２７  ボス部
３０  別体グリル
３０ａ  別体グリルの一部（挿入部）
３１  挿通孔
４０  シール部材
４１  挿通孔
５０  取付け部材
５１  取付け部材の溝部
６０、６１  ネジ（スクリュー）
【図１】
2015227116.tif 000003
【図２】
2015227116.tif 000004
【図３】
2015227116.tif 000005
【図４】
2015227116.tif 000006
【図５】
2015227116.tif 000007